(57)【要約】【課題】ＩＣパッケージの特性検査等に使用されるＩＣソケットの提供。【解決手段】ＩＣ収容部２に収容されるＩＣパッケージの収容位置を規制する複数の回転子４を配置し、該各回転子４を定位置で回動するように位置を固定して設け、上記ＩＣパッケージと上記回転子４間に遊間隙を存して同ＩＣパッケージを収容可能としたことを特徴とするＩＣソケット。【選択図】  図１
2014126397.tif 000002
【特許請求の範囲】
【請求項１】
ＩＣ収容部に収容されるＩＣパッケージの収容位置を規制する複数の回転子を配置し、該各回転子を定位置で回動するように位置を固定して設け、上記ＩＣパッケージと上記回転子間に遊間隙を存して同ＩＣパッケージを収容可能としたことを特徴とするＩＣソケット。
【請求項２】
上記回転子はＩＣパッケージの側面を規制して同ＩＣパッケージの収容位置を規制することを特徴とする請求項１記載のＩＣソケット。
【請求項３】
上記回転子はＩＣパッケージのコーナー部を規制して同ＩＣパッケージの収容位置を規制することを特徴とする請求項１記載のＩＣソケット。
【請求項４】
上記回転子はＩＣパッケージの一方の対角線上に存する二つのコーナー部を規制するように配置したことを特徴とする請求項３記載のＩＣソケット。
【請求項５】
上記回転子はＩＣパッケージの両対角線上に存する四つのコーナー部を規制するように配置したことを特徴とする請求項３記載のＩＣソケット。
【請求項６】
上記回転子はＩＣパッケージのコーナー部を受容し規制する環状溝を有することを特徴とする請求項３乃至請求項５の何れかに記載のＩＣソケット。
【請求項７】
上記ＩＣパッケージを規制する回転子の上記固定位置を調整し上記遊間隙を調整し得る構成としたこと特徴とする請求項１記載のＩＣソケット。
【請求項８】
上記回転子はローラ又はボールであることを特徴とする請求項１記載のＩＣソケット。
【発明の詳細な説明】
【技術分野】
【０００１】
本発明はＩＣパッケージの特性検査等に用いるＩＣソケットに関する。
【背景技術】
【０００２】
下記の特許文献１はＩＣ収容部の四辺に沿って細長いローラ（ニードルローラ）を設け、該各ローラをばねで弾発して各ローラの対向間隔をＩＣパッケージの対向する側面間隔よりも小さく設定し、該各ローラでＩＣパッケージの四側面を弾発し同ＩＣパッケージの位置決めを図るＩＣソケットを開示している
【０００３】
つまり、下記特許文献１のＩＣソケットはＩＣパッケージの四側面で各ローラを外側方へ押圧して回動させると同時に、上記ばねを圧縮しながら後退させ、よってＩＣ収容部を拡張し同収容部へＩＣパッケージを収容し位置決めを図る構成となっている。
【０００４】
上記特許文献１によればＩＣパッケージの挿抜時、常に各ローラがばねによりＩＣパッケージの四側面に加圧接触した状態に置かれる。
【先行技術文献】
【特許文献】
【０００５】
【特許文献１】特開２００８−３４１７３号公報
【発明の概要】
【発明が解決しようとする課題】
【０００６】
しかし、上記特許文献１のＩＣソケットは常に各ローラがばねによりＩＣパッケージの四側面に加圧接触した状態で挿抜されるので、各ローラが早期に摩耗し位置決め機能を減殺する恐れがある。
【０００７】
加えて、各ローラの両端に設けた二個（最小限八個）のばねを圧縮させつつ各ローラをＩＣパッケージの四側面で押し退ける構造では、各ばねの特性により均等のばね圧を各ローラに与えることができず、各ローラのＩＣパッケージの各側面に対する平行移動を確保できず、ＩＣパッケージの位置決め不良を増幅する恐れがある。
【０００８】
又上記のように、各ローラの両端に二個（最小限八個）のばねを設けなければならないので、ＩＣソケット自体が自ずと大型化し構造が複雑化し、高価となる問題を有している。
【課題を解決するための手段】
【０００９】
本発明は、従来のＩＣソケットの如く、四個のローラをばねで弾持しつつ進退可にし、各ローラをばね圧に抗して後退させＩＣパッケージの収容を可能とする構成を排除し、よって同先行例が有する上記問題を招来しないＩＣソケットを提供するものである。
要述すると、本発明に係るＩＣソケットはＩＣ収容部に収容されるＩＣパッケージの収容位置を規制する複数の回転子を配置し、該各回転子を定位置で回動するように位置を固定して設け、上記ＩＣパッケージと上記回転子間に遊間隙を存して同ＩＣパッケージを収容可能としたものである。
【００１０】
又上記回転子はＩＣパッケージの側面を規制して同ＩＣパッケージの収容位置を規制する。
【００１１】
又は上記回転子はＩＣパッケージのコーナー部を規制して同ＩＣパッケージの収容位置を規制する。
【００１２】
又上記回転子はＩＣパッケージの一方の対角線上に存する二つのコーナー部を規制するように配置する。
【００１３】
又上記回転子はＩＣパッケージの両対角線上に存する四つのコーナー部を規制するように配置する。
【００１４】
又上記回転子はＩＣパッケージのコーナー部を受容し規制する環状溝を有する。
【００１５】
又上記ＩＣパッケージを規制する回転子の上記固定位置を調整し上記遊間隙を調整し得る構成とする。
【００１６】
又上記回転子はローラ又はボールである。
【発明の効果】
【００１７】
依って、本発明にあってはＩＣパッケージと回転子間に遊間隙を存在させているので、ＩＣパッケージの装脱に伴う回転子とＩＣパッケージとのばねによる加圧接触（摩擦接触）がなくなり、回転子が摩耗する懸念を払拭できる。
上記遊間隙はＩＣパッケージの接触子とＩＣソケットの接触子との接触を逸脱しない範囲で設定することは勿論である。
【００１８】
又、ローラ又はボールからなる回転子を位置を固定して設け、特許文献１の如くローラをばねに抗して平行移動させる構成を有していないので、ＩＣパッケージの位置決め不良が発生する恐れもない。
【００１９】
更に、ＩＣパッケージの収容位置を規制する複数の回転子を定位置で回動するように位置を固定して設けるだけで良いので、複数個のコイルばねを設けてローラを平行移動可に弾持する特許文献１に比し、構造の簡素化とソケットの小型化を達成し、ひいてはコストの削減を達成できる。
【図面の簡単な説明】
【００２０】
【図１】回転子をＩＣパッケージの一方の対角線上に存する二つのコーナー部の各側面を規制するように配置したＩＣソケットを示す斜視図である。
【図２】同平面図である。
【図３】同側面図である。
【図４】回転子をＩＣパッケージの両対角線上に存する四つのコーナー部の各側面を規制するように配置したＩＣソケットを示す斜視図である。
【図５】回転子でＩＣパッケージの四側面を規制した状態を示す説明図である。
【図６】（Ａ）は回転子でＩＣパッケージの四側面を規制した他例を示す説明図、（Ｂ）は接触を逸脱しない範囲を示す説明図である。
【図７】回転子の対向間隔とＩＣパッケージの側面間隔を説明する説明図である。
【図８】（Ａ）は片持ち構造の回転子ホルダーの分解斜視図、（Ｂ）は両持ち構造の回転子ホルダーの背面図である。
【図９】ＩＣパッケージをＩＣ収容部上に搬送した状態を示すＩＣソケットの側面図である。
【図１０】ＩＣパッケージをＩＣ収容部に収容した状態を示すＩＣソケットの側面図である。
【図１１】（Ａ）（Ｂ）（Ｃ）はＩＣパッケージを回転子により偏位を修正してＩＣ収容部内へ誘い込む状態を説明する図である。
【図１２】回転子とＩＣパッケージ間に遊間隙が形成された状態を説明する要部拡大断面図である。
【図１３】回転子の配置例を示す要部平面図である。
【図１４】回転子の他の配置例を示す要部平面図である。
【図１５】回転子の他例を示す要部説明図である。
【図１６】ボールから成る回転子の配置例を示す要部平面図である。
【図１７】環状溝を有する回転子でＩＣパッケージのコーナー部を規制した状態の一例を示す説明図である。
【図１８】環状溝を有する回転子でＩＣパッケージのコーナー部を規制した状態の他例を示す説明図である。
【００２１】
以下、本発明の好適な実施例を図１乃至図１８に基づいて詳述する。
【００２２】
図示のように、ＩＣソケット１は上面側に略方形のＩＣパッケージ５を収容する略方形のＩＣ収容部２を有し、該ＩＣ収容部２に収容されたＩＣパッケージ５の電極端子５ａと配線基板の配線端子とを電気的に接続する多数のコンタクト３を備える。
【００２３】
上記ＩＣソケット１には上記ＩＣ収容部２に収容されるＩＣパッケージ５の四側面を規制する複数の回転子４を配置し、該各回転子４を定位置で回動するように位置を固定して設ける。
一例示として上記回転子４はＩＣパッケージ５の一方の対角線上に存する二つのコーナー部を規制するように位置を固定して配置する。即ち図１乃至図３に示すように、ＩＣパッケージ５の一方の対角線上に存する二つのコーナー部を形成する各辺（各側面）を規制する各一個（計四個）の回転子４を配する。
又は他例示として上記回転子４はＩＣパッケージ５の両対角線上に存する四つのコーナー部を規制するように位置を固定して配置する。即ち図４に示すように、ＩＣパッケージ５の両対角線上に存する四つのコーナー部を形成する各辺（各側面）を規制する各一個（計八個）の回転子４を配する。
【００２４】
ＩＣパッケージ５には四側面又は対向する二側面から側方へ並列に突出したリード（電極端子）５ａを有するＱＦＰ，ＳＯＰと呼称されるタイプのものが存し、図５に示すように、このタイプのＩＣパッケージ５においては四つのコーナー部を形成する各側面端には上記リード５ａが突出されておらず、このリード５ａを突出してないコーナー部側面を有するＩＣパッケージ５には有利に実施できる。従ってこの実施例では回転軸を中心とする転がり面が限定された幅狭の回転子４を適用する。
【００２５】
又ＩＣパッケージ５にはＢＧＡ，ＬＧＡと呼称されるパッケージ下面にボール形又はパット形の電極端子５ａを有するリードレスタイプのもの、又ＰＧＡと呼称されるパッケージ下面から多数のピンが突出したタイプのものが存する。これらのタイプのＩＣパッケージ５においては各側面の全長に亘りリードが突出していないので、上記幅狭の転がり面を有する回転子４は勿論、図６（Ａ）に示すように、軸長が長い転がり面を有するニードルロール形の回転子４を適用できる。
【００２６】
図７に示すように、上記ＩＣパッケージ５の対向する二側面を規制する回転子４の対向間隔Ｗ１を同ＩＣパッケージ５の対向する側面間隔Ｗ２よりも僅かに大きく設定し、図１２にも示すように、ＩＣパッケージ５の側面と該側面を規制する回転子４間に微小な遊間隙６が形成されるように各回転子４を固定配置する。該遊間隙６は相対する一方の回転子４との間、又は相対する双方の回転子４との間に形成される場合があることは勿論である。
【００２７】
図６（Ｂ）に示すように、ＩＣパッケージ５の電極端子５ａとＩＣソケット１のコンタクト３とは一定の接触面積又は接触幅を有し、上記遊間隙６はこのＩＣパッケージ５の電極端子５ａ（接触子）とＩＣソケット１のコンタクト３（接触子）との接触を逸脱しない範囲Ｓ１で設定することは言うまでもない。
【００２８】
又、図８（Ａ）に示すように、ホルダー９は対向して立ち上げた一対の軸受け９ａを有し、該各軸受け９ａに設けた軸孔９ｂにシャフト８を貫挿すると共に上記回転子４の中心に同シャフト８を貫挿し、該シャフト８の両端にＥリング１１を嵌め抜け止めを図る。
更に上記軸受け９ａから一側方へ片持ちアーム９ｃを延設し、該片持ちアーム９ｃの基端と自由端のそれぞれに長孔９ｄを設け、該長孔９ｄに螺子１０を貫挿しＩＣ収容部２の辺縁に固定する。
上記遊間隙６の精度を向上させるためには上記回転子４の中心にベアリングを介して上記シャフト８を貫挿させると有効である。
【００２９】
よって回転子４をホルダー９に片持ち支持しシャフト８を中心として回動可に軸支する。上記ホルダー９は片持ちアーム９ｃをもってＩＣパッケージ５のコーナー部からできるだけ離れたＩＣ収容部２の辺縁に取り付けると共に、回転子４をＩＣパッケージ５のコーナー部の頂点側に可及的に接近させて固定し、同回転子４でコーナー部を形成するＩＣパッケージ５の側面、即ちコーナー部の頂点に接近した側面を規制できる。従って片持ち支持方式は上記したリード５ａを突出してないコーナー部側面を有するＩＣパッケージ５に有利に実施できる。
図８（Ａ）は片持ちアーム９ｃの一端で回転子４を支持し、他端でＩＣソケット１に取り付けることを開示している。
【００３０】
他例として図８（Ｂ）に示すように、上記軸受け９ａから一側方と他側方へ取付座９ｃ´，９ｃ´を張り出し、該各取付座９ｃ´のそれぞれに長孔９ｄを設け、該長孔９ｄに螺子１０を貫挿しＩＣ収容部２の辺縁に固定し、回転子４をホルダー９に両持ち支持しシャフト８を中心として回動可に軸支するようにする。
【００３１】
上記片持ち支持方式と上記両持ち支持方式の何れの場合においても、上記長孔９ｄの範囲で上記螺子１０による固定位置、即ちホルダー９の固定位置を調整し、ＩＣパッケージ５に対する回転子４の規制位置を調整できる。
【００３２】
回転子４の固定位置を調整できる構成とすれば、ＩＣパッケージ５の外形寸法のバラツキ或いはサイズ変更に合わせて回転子４の固定位置（シャフトによる回転子の回転位置）を変更し、上記間隔差Ｗ１−Ｗ２及び遊間隙６の寸法を調整できる。
【００３３】
図９，図１１（Ａ）に示すように、ＩＣパッケージ５をＩＣ収容部２上に吸着装置等を用いて搬送し、ＩＣパッケージ５が回転子４に接触しない状態で吸着を解除し同ＩＣパッケージ５を落下せしめ、図１１（Ｂ）に示すように、該ＩＣパッケージ５の自重で一方の回転子４を回転しつつＩＣ収容部２内へ誘導する。よって、図１０，図１１（Ｃ）に示すように、該ＩＣ収容部２内にＩＣパッケージ５を収容し、上記ＩＣソケット１のコンタクト３の上端とＩＣパッケージ５の電極端子５ａとの電気的接触を得る。
【００３４】
再述すると、ＩＣパッケージ５のＩＣ収容部２内への収容時に、図１１（Ａ）に示すように、対向する回転子４の一方の回転子４側にＩＣパッケージ５が偏位している場合には、図１１（Ｂ）に示すように、ＩＣパッケージ５が上記一方の回転子４の転がり面に接触して同回転子４を回動させながら他方の回転子４方向に挿入姿勢を修正するように移動し、図１１（Ｃ）に示すように、対向する回転子４間に遊間隙６を存して自動的に誘い込まれる。
尚図示を省略するが、ＩＣ収容部２を画成する別部品から成る浮沈台をＩＣソケット１に組み込み、該浮沈台にＩＣパッケージ５を支持した後、該浮沈台を降下させ上記ＩＣソケット１のコンタクト３の上端とＩＣパッケージ５の電極端子５ａとの電気的接触を得る場合を含む。
【００３５】
図６（Ｂ）に示すように、上記遊間隙６はＩＣパッケージ５の電極端子５ａとＩＣソケット１のコンタクト３との所期の接触を逸脱しない範囲Ｓ１で設定されているので、ＩＣパッケージ５の四側面を規制する全回転子４をばねに抗して強制的に押し退けながらＩＣ収容部２に収容する従来方式とは異なり、ＩＣパッケージ５の挿抜に伴う全回転子４とＩＣパッケージ５とのばねによる加圧接触（摩擦接触）がなくなり、該ばねによる回転子４の加圧接触に伴う摩耗の懸念を払拭できる。
【００３６】
又、回転子４間の対向間隔Ｗ１がＩＣパッケージ５の対向する側面間隔Ｗ２よりも僅かに大きく設定されているので、この間隔差Ｗ１−Ｗ２を利用して、ＩＣパッケージ５を上記回転子４の何れにも接触させずにＩＣ収容部２内に収容することが可能である。
【００３７】
本発明は、図２に示すように、ＩＣパッケージ５の一方の対角線上に存する二つのコーナー部を計四個の回転子４で規制する例、図４に示すように、ＩＣパッケージ５の双方の対角線上に存する四つのコーナー部を計八個の回転子４で規制する例の他、図１３に示すように、ＩＣパッケージ５の各側面のコーナー部寄りをそれぞれ一個の回転子４で規制する例、図１４に示すように、ＩＣパッケージ５の各側面の延在長の途中をそれぞれ一個の回転子４又は複数個の回転子４で規制する例を含む。
【００３８】
従って、本発明にあっては、回転子４をＩＣ収容部２の辺縁に位置を固定して設けるだけであるから、複数個のコイルばねを設けてローラを平行移動可に弾持する特許文献１のものに比し、構造の簡素化とＩＣソケット１の小型化を達成し、ひいてはコストの削減を達成できる。
【００３９】
本発明は、図６（Ａ）に示す軸長が長い転がり面を有するニードルローラ形の回転子４で四側面を規制する例を含む。又図１５に示すように、ボールから成る回転子４´でＩＣパッケージ５の四側面を規制する例を含む。
【００４０】
このボールから成る回転子４´は、図１６に示すように、前記したようにＩＣパッケージ５の一方の対角線上に存する二つのコーナー部又は双方の対角線上に存する四つのコーナー部を規制するように回転位置を固定して配置する。又はＩＣパッケージ５の側面の延在長の途中に一個又は複数個のボールから成る回転子４´を配置し、ＩＣパッケージ５のＩＣ収容部２内への誘い込みを行う。
【００４１】
図１７，図１８は、回転子４でＩＣパッケージ５の一方の対角線上に存する二つのコーナー部を受容し規制する例を示し、これに使用される回転子４はＩＣパッケージ５のコーナー部を受容して規制する断面コ字形或いは断面Ｖ字形の環状溝１２を有している。この場合も、上記の説明と同様に、上記ＩＣパッケージ５の対向するコーナー部を規制する回転子４の対向間隔Ｗ１を同ＩＣパッケージ５の対向するコーナー部を形成する側面間隔Ｗ２よりも僅かに大きく設定し、ＩＣパッケージ５のコーナー部と該コーナー部を規制する回転子４間に微小な遊間隙６を形成できるように各回転子４を固定配置する。
図示しないが、回転子４でＩＣパッケージ５の双方の対角線上に存する四つのコーナー部を受容し規制する場合も同様である。
【符号の説明】
【００４２】
１    ＩＣソケット
２    ＩＣ収容部
３    コンタクト
４    回転子（ローラ）
４´  回転子（ボール）
５    ＩＣパッケージ
５ａ  電極端子
６    遊間隙
８    シャフト
９    ホルダー
９ａ  軸受け
９ｂ  軸孔
９ｃ  片持ちアーム
９ｃ´取付座
９ｄ  長孔
１０  螺子
１１  Ｅリング
１２  環状溝
Ｗ１  対向する回転子間の対向間隔
Ｗ２  ＩＣパッケージの側面間隔（ＩＣパッケージのコーナー部を形成する側面間隔）
Ｓ１  ＩＣパッケージの電極端子とＩＣＩＣソケットのコンタクトとの接触を逸脱しない範囲
【図１】
2014126397.tif 000003
【図２】
2014126397.tif 000004
【図３】
2014126397.tif 000005
【図４】
2014126397.tif 000006
【図５】
2014126397.tif 000007
【図６】
2014126397.tif 000008
【図７】
2014126397.tif 000009
【図８】
2014126397.tif 000010
【図９】
2014126397.tif 000011
【図１０】
2014126397.tif 000012
【図１１】
2014126397.tif 000013
【図１２】
2014126397.tif 000014
【図１３】
2014126397.tif 000015
【図１４】
2014126397.tif 000016
【図１５】
2014126397.tif 000017
【図１６】
2014126397.tif 000018
【図１７】
2014126397.tif 000019
【図１８】
2014126397.tif 000020